【事件の表示】
　平成８年特許願第１１１５２０号「ハロゲン化銀カラー反転写真感光材料」拒絶査定不服審判事件〔平成９年１１月１８日出願公開、特開平９−２９７３６５〕について、次のとおり審決する。
【結　論】
　本件審判の請求は、成り立たない。
【理　由】
１．手続の経緯・本願発明
 　本願は、平成８年５月２日の出願であって、その請求項１ないし４に係る発明は、平成１５年１２月１５日付けの手続補正書によって補正された明細書の記載からみて、その特許請求の範囲の請求項１ないし４に記載された事項により特定されるとおりのものであり、請求項３に係る発明のうち請求項２を引用する発明は次のとおりのものと認める。
 「支持体上に、少なくとも１層の感光性ハロゲン化銀乳剤層を有するハロゲン化銀カラー反転写真感光材料において、該ハロゲン化銀乳剤層の少なくとも１層が、アスペクト比２以上１００以下の、（１１１）主平面と、（１００）面を有する側面から成る還元増感された平板状ハロゲン化銀粒子であり、該平板状ハロゲン化銀粒子の５０％以上（個数）が転位線を有する平板状ハロゲン化銀粒子を含有し、かつ（１００）面選択性を有する化合物の少なくとも１種を含有していることを特徴とするハロゲン化銀カラー反転写真感光材料であって、該（１００）面選択性化合物が下記一般式（Ｉ）で表される化合物であることを特徴とするハロゲン化銀カラー反転写真感光材料。
一般式（Ｉ）
【化１】
　
　
式中、Ｒはそれぞれ置換または無置換のアルキル基、アルケニル基、アルキニル基、アリール基またはアラルキル基を表し、Ｙは−Ｏ−、−Ｓ−、−ＮＲ1 −、−ＮＲ2 ＣＯ−、−ＣＯＮＲ3 −、−ＮＲ4 ＳＯ2 −、−ＳＯ2 ＮＲ5 −、−ＣＯＯ−、−ＯＣＯ−、−ＣＯ−、−ＳＯ2 −、−ＮＲ6 ＣＯＮＲ7 −、−ＮＲ8ＣＳＮＲ9 −、または−ＮＲ10ＣＯＯ−を表し、Ｒ1 ，Ｒ2 ，Ｒ3 ，Ｒ4 ，Ｒ5，Ｒ6 ，Ｒ7 ，Ｒ8 ，Ｒ9 およびＲ10は水素原子またはそれぞれ置換または無置換のアルキル基、アルケニル基、アルキニル基、アリール基またはアラルキル基を表す。ｎは０または１を表し、ｍは１〜４の整数を表す。Ｘは−Ｏ−、−Ｓ−または−ＮＲ’を表し、Ｒ’は水素原子またはそれぞれ置換または無置換のアルキル基またはアルケニル基を表す。Ｍは水素原子、アルカリ金属原子、アルカリ土類金属原子、アンモニウム基またはアルカリ条件で開裂する基を表す。ただし、−（（Ｙ）n −Ｒ）m の炭素数の合計は１以上３０以下を表す。」（以下「本願発明３」という。）
　
２．引用刊行物記載の発明
　原査定の拒絶の理由に引用された、本願出願前に頒布された刊行物である、刊行物１には下記の事項が記載されている。
（刊行物１：特開平８−２９９０４号公報の記載事項）
（１）「【請求項３】平行な主平面が（１１１）面であってアスペクト比３以上の沃臭化銀または臭化銀よりなるホスト平板粒子により全投影面積の５０％以上が占められる乳剤に、沃化銀微粒子よりなる乳剤を急激に添加することにより転位線を導入する工程において、該ホスト平板粒子の側面の７５％以下が（１１１）面から構成されていることを特徴とするハロゲン化銀写真乳剤の製造方法。」
（２）「【０００３】【発明が解決しようとする課題】本発明は感度／かぶり比ならびに感度／粒状比に優れたハロゲン化銀写真乳剤の製造方法を提供するものである。」
（３）「【００１１】本発明においてホスト平板粒子乳剤の対向する（１１１）主表面を連結する側面は全側面の７５％以下が（１１１）面から構成されていることが著しく好ましい。その効果については、実施例にて詳述する。ここで全側面の７５％以下が（１１１）面から構成されるとは、全側面の２５％よりも高い比率で（１１１）面以外の結晶学的な面が存在するということである。通常その面は（１００）面であるとして理解しうるが、それ以外の面、すなわち（１１０）面や、より高指数の面である場合も含みうる。本発明においては全側面の７０％以下が（１１１）面から構成されていると効果が顕著である。」
（４）「【００２９】本発明において、平板粒子は好ましくは転位線を有する。」
（５）「【００３０】転位線の数は、好ましくは１粒子当り平均１０本以上である。より好ましくは１粒子当り平均２０本以上である。」
（６）「【００４１】本発明のハロゲン化銀粒子は硫黄増感、セレン増感、金増感、パラジウム増感又は貴金属増感、還元増感の少なくとも１つをハロゲン化銀乳剤の製造工程の任意の工程で施こすことができる。２種以上の増感法を組み合せることは好ましい。どの工程で化学増感するかによって種々のタイプの乳剤を調製することができる。」
（７）「【００４６】本発明のハロゲン化銀乳剤を粒子形成中、粒子形成後でかつ化学増感前あるいは化学増感中、あるいは化学増感後に還元増感することは好ましい。」
（８）「【００４９】本発明に用いられる写真乳剤には、感光材料の製造工程、保存中あるいは写真処理中のカブリを防止し、あるいは写真性能を安定化させる目的で、種々の化合物を含有させることができる。すなわち・・・メルカプトベンズイミダゾール類・・・などのようなカブリ防止剤または安定剤として知られた、多くの化合物を加えることができる。・・・かぶり防止剤および安定剤は粒子形成前、粒子形成中、粒子形成後、水洗工程、水洗後の分散時、化学増感前、化学増感中、化学増感後、塗布前のいろいろな時期に目的に応じて添加することができる。」
（９）「【００５０】本発明に用いられる写真乳剤は、メチン色素類その他によって分光増感されることが本発明の効果を発揮するのに好ましい。」
（10）実施例５として
　実施例１、２、３および４で説明した本発明の乳剤を次に示した感光材料に用いることにより、感度／かぶり比、感度／粒状比、圧力特性ならびに相反則特性に優れた写真感光材料が得られたこと（【０１０８】）、
　下塗りを施した三酢酸セルロースフィルム支持体上に、下記に示すような組成の各層を重層塗布し、多層カラー感光材料である試料１０１を作製したこと（【０１０９】）、
　第１１層に乳剤Ｉが、第１２層に乳剤Ｌが含有されていること（【０１２０】【０１２１】）、
　各層に適宜、保存性、処理性、圧力耐性、防黴・防菌性、帯電防止性及び塗布性をよくするために  Ｗ−１ないしＷ−３、Ｂ−４ないしＢ−６、Ｆ−１ないしＦ−１７及び、鉄塩、鉛塩、金塩、白金塩、イリジウム塩、パラジウム塩、ロジウム塩が含有されていること（【０１２４】）、
　表８において、乳剤Ｉ〜Ｌは特開平2-191938号の実施例に従い、二酸化チオ尿素とチオスルフォン酸を用いて粒子調製時に還元増感され、乳剤Ａ〜Ｌは特開平3-237450号の実施例に従い、各感光層に記載の分光増感色素とチオシアン酸ナトリウムの存在下に金増感、硫黄増感とセレン増感が施され、平板状粒子は特開平3-237450号に記載されているような転位線が高圧電子顕微鏡を用いて観察されていること（【０１２６】）が記載され、
　表８には、乳剤Ｉが、円形平板（中心高ヨード構造）で直径／厚み比６．０であること、乳剤Ｌが、六角平板（中間殻高ヨード３重構造）で直径／厚み比１２．０であること（【０１２５】）、
　上記Ｆ−１ないしＦ−１７の化合物のうちＦ−７の化合物が以下の構造であること（【０１４３】）が記載されている。　
　
（11）実施例５で用いた乳剤Ｉの側面が（１００）面を２７％有すること（【００８９】表５）、乳剤Ｌは、乳剤Ｄの製法において、ホスト平板粒子に添加する沃化銀微粒子乳剤をｂからａに変更した以外は同様にして調製したものであること（【０１０１】）、乳剤Ｄは、全側面の３０％以上が（１００）面であることが（【００６６】）記載されている。
　
３．対比
　刊行物１（上記(10)）には、平板乳剤Ｉ及びＬは、還元増感されており、転位線を有すること、各乳剤層はＦ−７が含有されていることが記載されているから、上記記載事項（特に、上記(10)、(11)）から刊行物１には、「支持体上に、多層のハロゲン化銀乳剤層を有する多層カラー写真感光材料において、ハロゲン化銀乳剤層の少なくとも１層が、平行な主平面が（１１１）面であり、側面に（１００）面を有しているアスペクト比３以上で、転位線を有する、還元増感された平板状ハロゲン化銀粒子を含有し、かつＦ−７の化合物が含有されたハロゲン化銀カラー写真感光材料。」の発明（以下、「刊行物１発明」という。）が記載されているところ、本願発明３と刊行物１発明とを比較する。
（ア）刊行物１には、転位線の数は、好ましくは１粒子当り平均１０本以上、より好ましくは１粒子当り平均２０本以上である（上記（５））ことが記載されているから、平板状ハロゲン化銀粒子の５０％以上（個数）が転位線を有を含有しているといえる。
（イ）刊行物１発明の、Ｆ−７の化合物は、本願発明３の一般式（Ｉ）の化合物に該当し、さらに、本願明細書の実施例で用いられている（１００）面選択性化合物Ｋ−２と同じ化合物である。
　したがって、本願発明３と刊行物１発明との間には、下記のような一致点及び相違点がある。
　
（一致点）
　支持体上に、少なくとも１層の感光性ハロゲン化銀乳剤層を有するハロゲン化銀カラー写真感光材料において、該ハロゲン化銀乳剤層の少なくとも１層が、アスペクト比２以上１００以下の、（１１１）主平面と、（１００）面を有する側面から成る還元増感された平板状ハロゲン化銀粒子であり、該平板状ハロゲン化銀粒子の５０％以上（個数）が転位線を有する平板状ハロゲン化銀粒子を含有し、かつ一般式（Ｉ）で表される化合物を含有しているハロゲン化銀カラー写真感光材料である点。
（相違点１）
　本願発明３は、一般式（Ｉ）の化合物を、（１００）面選択性を有する化合物としているのに対して、刊行物１では、一般式（Ｉ）の化合物に相当するＦ−７の化合物の面選択性については記載されていない点
（相違点２）
　本願発明３は、カラー反転写真感光材料であるのに対して、刊行物１には、感光材料の種類については記載されておらず、実施例においても、反転現像処理をしたものは記載されていない点。
　
４．判断
（相違点１について）
　刊行物発明のＦ−７の化合物は、本願発明３の一般式（Ｉ）の化合物に該当し、さらに、本願明細書の実施例で具体的に用いられている（１００）面選択性化合物Ｋ−２と同じ化合物であるから、Ｆ−７の化合物は、当然に（１００）面選択性を有しているといえる。
　したがって、相違点１は、実質的な相違点ではない。
　
（相違点２について）
　特開平６−２８９５１６号公報（【請求項１】【００１１】【０１４６】）及び特開平６−２５８７４５号公報（【請求項１】【０１２８】【０１７４】）には、（１１１）主平面と、（１００）面を有する側面を有する平板状ハロゲン化銀乳剤を含有する乳剤層を有する写真感光材料が、各種のカラー感光材料に適用することができ、一般用もしくは映画用のカラーネガフィルム、スライド用もしくはテレビ用のカラー反転フィルム、カラーペーパー、カラーポジフィルムおよびカラー反転ペーパーなどを代表例として挙げることができることが記載されていることから、（１１１）主平面と、（１００）面を有する側面を有する平板状ハロゲン化銀乳剤は、カラーネガまたはカラー反転のいずれの感光材料にも用いうるものであることは、本願出願前に周知であったといえる。
　そうすると、刊行物１発明において、カラー写真感光材料をカラー反転写真感光材料としてみることに困難性があるとはいえない。
　そして、本願発明の感度／粒状性比に優れているという効果については、本願明細書の記載からでは、カラー反転写真感光材料とすることで格別顕著な効果が奏されるかは不明であるし、刊行物１発明も、感度／粒状性比に優れているものであることから予測し得たものといえる。
　
５．むすび
　以上のとおり、本願請求項３に係る発明は、刊行物１に記載された発明及び周知技術に基づいて当業者が容易に発明をすることができたものであるから、特許法第２９条第２項の規定により特許を受けることができない。
　したがって、請求項１、２及び４に係る発明についての判断を示すまでもなく、本願は拒絶すべきものである。
　よって、結論のとおり審決する。